【手続補正書】
【提出日】平成25年8月28日(2013.8.28)
【手続補正１】
【補正対象書類名】明細書
【補正対象項目名】発明の名称
【補正方法】変更
【補正の内容】
【発明の名称】眼科装置、眼科装置の制御装置及び眼科装置の制御方法
【手続補正２】
【補正対象書類名】明細書
【補正対象項目名】０００１
【補正方法】変更
【補正の内容】
【０００１】
本発明は、集団検診などで眼底像を撮影するために使用される眼科装置、眼科装置の制御装置及び眼科装置の制御方法に関する。
【手続補正３】
【補正対象書類名】明細書
【補正対象項目名】００１０
【補正方法】変更
【補正の内容】
【００１０】
そこで本発明では、観察／撮影のモードに応じて自動調光を制御できる機能を持たせることにより、モードに応じて自動調光機能を制御し、短時間で明るさの良好な眼底画像を得ることのできる眼科装置、眼科装置の制御装置及び眼科装置の制御方法を提供することを目的とする。
【手続補正４】
【補正対象書類名】明細書
【補正対象項目名】００１１
【補正方法】変更
【補正の内容】
【００１１】
上記目的を達成するための第１の発明に係わる眼科装置は、被検眼を照明するための観察光を発する観察光源と、前記被検眼を撮影するための撮影光を発する撮影光源と、前記観察光により照射された前記被検眼からの反射光を受光して映像信号を出力する撮像手段と、前記観察光の照明光量と前記映像信号とに基づいて、前記観察光源の光量及び前記撮影光源の光量の少なくとも何れかを決定する決定手段と、決定された前記光量に基づいて、前記観察光源の光量及び前記撮影光源の光量の少なくとも何れかを調光する調光手段と、少なくとも眼底モード及び前眼モードを含む複数のモードに応じて、前記調光手段を制御する制御手段と、を有することを特徴とする。
【手続補正５】
【補正対象書類名】明細書
【補正対象項目名】００１２
【補正方法】変更
【補正の内容】
【００１２】
本発明によれば、撮影／観察時のモードに応じて自動調光機能を制御することにより、短時間での好適な被検眼像が得られる。
すなわち、本発明を用いた眼科装置、眼科装置の制御装置及び眼科装置の制御方法では、短時間で好適な被検眼画像が得られるため、被検者の負担を減らした撮影が可能となる。
【手続補正６】
【補正対象書類名】特許請求の範囲
【補正対象項目名】全文
【補正方法】変更
【補正の内容】
【特許請求の範囲】
【請求項１】
被検眼を照明するための観察光を発する観察光源と、
前記被検眼を撮影するための撮影光を発する撮影光源と、
前記観察光により照射された前記被検眼からの反射光を受光して映像信号を出力する撮像手段と、
前記観察光の照明光量と前記映像信号とに基づいて、前記観察光源の光量及び前記撮影光源の光量の少なくとも何れかを決定する決定手段と、
決定された前記光量に基づいて、前記観察光源の光量及び前記撮影光源の光量の少なくとも何れかを調光する調光手段と、
少なくとも眼底モード及び前眼モードを含む複数のモードに応じて、前記調光手段を制御する制御手段と、を有することを特徴とする眼科装置。
【請求項２】
前記制御手段は、前記被検眼の前眼部の観察或いは撮像の少なくとも何れかを行なう前眼モードにおいて前記調光手段を無効化すると共に、前記被検眼の眼底部の観察或いは撮像の少なくとも何れかを行なう眼底モードにおいて前記調光手段を有効化する、ことを特徴とする請求項１に記載の眼科装置。
【請求項３】
前記前眼モードは前記前眼部を観察する前眼観察モードと、前記前眼部を撮像する前眼撮像モードと、を有し、
前記制御手段は、前記眼底モードから前記前眼観察モードへの切り替え、或いは前記眼底モードから前記前眼撮像モードへの切り替え、の何れかを行なう切り替え手段を有することを特徴とする請求項１に記載の眼科装置。
【請求項４】
前記撮像手段は、撮像素子を用いて前記被検眼の観察或いは撮像を実行し、前記撮像素子は前記観察光或いは前記撮像光の少なくとも一方により前記被検眼から反射された前記反射光を受光して前記映像信号を出力することを特徴とする請求項１乃至３の何れか一項に記載の眼科装置。
【請求項５】
前記調光手段は、前記モードに応じて前記光量の算出様式を切り替える算出様式切替手段を更に有し、
前記前眼モードにおいて、前記算出様式切替手段は前記算出の際に用いられる前記映像信号を得る範囲を変更することを特徴とする請求項１乃至４の何れか一項に記載の眼科装置。
【請求項６】
前記前眼モードにおいて、前記算出様式切替手段は前記被検眼における強膜に対応した映像信号の範囲を用いて前記算出を行なうことを特徴とする請求項５に記載の眼科装置。
【請求項７】
光源と、
前記光源から発せられた光により照射された被検眼からの反射光を受光して映像信号を出力する撮像手段と、
前記光の光量と前記映像信号とに基づいて、前記光源の光量を決定する決定手段と、
眼底モードにおいて、決定された前記光量に基づいて前記光源の光量を調光する調光手段と、
前眼モードにおいて、前記調光手段を用いたマニュアル操作により前記光源の光量の調光を行なうように前記調光手段を制御する制御手段と、
を有することを特徴とする眼科装置。
【請求項８】
前記制御手段は、前記被検眼の前眼部の観察或いは撮像の少なくとも何れかを行なう前眼モードにおいて前記調光手段を無効化すると共に、前記被検眼の眼底部の観察或いは撮像の少なくとも何れかを行なう眼底モードにおいて前記調光手段を有効化する、ことを特徴とする請求項７に記載の眼科装置。
【請求項９】
前記調光手段により調光された光量により前記被検眼の眼底を撮像した後に、前記眼底モードから前記前眼モードに切り替える切替手段を有し、
前記制御手段は、前記切替手段の切り替え操作に応じて前記調光手段を無効化する、ことを特徴とする請求項８に記載の眼科装置。
【請求項１０】
撮像装置より出力される映像信号に基づいて、観察光源の光量及び撮影光源の光量の少なくとも何れかを決定する決定手段と、
決定された前記光量に基づいて、前記観察光源の光量及び前記撮影光源の光量の少なくとも何れかを調光する調光手段と、
少なくとも眼底モード及び前眼モードを含む複数のモードに応じて、前記調光手段を制御する制御手段と、を有することを特徴とする眼科装置を制御する装置。
【請求項１１】
撮像手段より出力される映像信号に基づいて、光源の光量を決定する決定手段と、
眼底モードにおいて、決定された前記光量に基づいて前記光源の光量を調光する調光手段と、
前眼モードにおいて、前記調光手段を用いたマニュアル操作により前記光源の光量の調光を行なうように前記調光手段を制御する制御手段と、を有することを特徴とする眼科装置を制御する装置。
【請求項１２】
光源から発せられた光により照明された被検眼からの反射光を受光して映像信号を出力する工程と、
前記光の光量と前記映像信号とに基づいて、前記光源の光量を決定する工程と、
眼底モードにおいて、決定された前記光量に基づいて前記光源の光量を調光する工程と、
前眼モードにおいて、マニュアル操作により前記光源の光量の調光を行なうように前記光量を制御する工程と、を有することを特徴とする眼科装置の制御方法。
【請求項１３】
前記制御する工程において、前記被検眼の前眼部の観察或いは撮影の少なくとも一方を実行する前記前眼モードにおいては前記光量の調光を無効化し、前記被検眼の眼底の観察或いは撮影の少なくとも一方を実行する前記眼底モードにおいては前記光量の調光を有効化する、ことを特徴とする請求項１２に記載の眼科装置の制御方法。
【請求項１４】
前記調光する工程により調光された光量により前記被検眼の眼底を撮像した後に、前記眼底モードから前記前眼モードに切り替える工程を有し、
前記制御する工程において、前記切替手段の切り替え操作に応じて前記調光手段を無効化する、ことを特徴とする請求項１２に記載の眼科装置の制御方法。
【請求項１５】
観察光源から発せられた観察光により照明された被検眼からの反射光を受光して映像信号を出力する工程と、
前記観察光の光量と前記映像信号とに基づいて、前記観察光源の光量と、撮像光源から発せられる撮像光の光量と、の少なくとも一方を決定する工程と、
決定された前記光量に基づいて、前記観察光源の光量或いは前記撮像光源の光量の少なくとも一方を調光する工程と、
眼底モード及び前眼モードを少なくとも複数のモードの何れかに応じて、前記光量の調光を制御する工程と、を有することを特徴とする眼科装置の制御方法。
【請求項１６】
前記制御する工程において、前記被検眼の前眼部の観察或いは撮影の少なくとも一方を実行する前記前眼モードにおいては前記光量の調光を無効化し、前記被検眼の眼底の観察或いは撮影の少なくとも一方を実行する前記眼底モードにおいては前記光量の調光を有効化する、ことを特徴とする請求項１５に記載の眼科装置の制御方法。
【請求項１７】
前記前眼モードは前記前眼部を観察する前眼観察モードと、前記前眼部を撮像する前眼撮像モードと、を有し、
前記制御する工程は、前記眼底モードから前記前眼観察モードへの切り替え、或いは前記眼底モードから前記前眼撮像モードへの切り替え、の何れかを行なう切り替え工程を有することを特徴とする請求項１５に記載の眼科装置の制御方法。
【請求項１８】
前記被検眼の観察或いは撮像の実行は撮像素子によって実行され、前記撮像素子は前記観察光或いは前記撮像光の少なくとも一方により前記被検眼から反射された前記反射光を受光して前記映像信号を出力することを特徴とする請求項１５乃至１７の何れか一項に記載の眼科装置の制御方法。
【請求項１９】
前記調光する工程は、前記モードに応じて前記光量の算出様式を切り替える算出様式切替工程を更に有し、
前記算出様式切替工程では、前記前眼モードにおいて、前記算出の際に用いられる前記映像信号を得る範囲を変更することを特徴とする請求項１５乃至１８の何れか一項に記載の眼科装置の制御方法。
【請求項２０】
前記前眼モードにおいて、前記算出様式切替工程では前記被検眼における強膜に対応した映像信号の範囲を用いて前記算出を行なうことを特徴とする請求項１９に記載の眼科装置の制御方法。
【請求項２１】
撮像装置より出力される映像信号に基づいて、観察光源の光量及び撮像光を生じる撮影光源の光量の少なくとも何れかを決定する工程と、
決定された前記光量に基づいて、前記観察光源の光量及び前記撮影光源の光量の少なくとも何れかを調光する工程と、
少なくとも眼底モード及び前眼モードを含む複数のモードの選択に応じて、前記調光手段を制御する工程と、を有することを特徴とする眼科装置を制御する方法。
【請求項２２】
撮像装置より出力される映像信号に基づいて、光源の光量を決定する工程と、
眼底モードにおいて、決定された前記光量に基づいて前記光源の光量を調光する工程と、
前眼モードにおいて、マニュアル操作により前記光源の光量の調光を行なうように前記光量を制御する工程と、を有することを特徴とする眼科装置の制御方法。
【請求項２３】
請求項１５乃至２２の何れか一項に記載の眼科装置の制御方法における各工程をコンピュータに実行させるためのプログラム。